(57)【要約】      （修正有）【課題】キーや工具等を吊り下げ、不用意にロック解除されることがなく、簡単・確実に持ち歩くことができる吊り下げホルダーを提供する。【解決手段】ワイヤーの一端の支持部を回動自在に固着してなる中空状のホルダー本体Ａ内に、中心にワイヤー差込孔４ａを設けたスライド体のワイヤー差込孔にワイヤー２を貫通して差し込み、このワイヤーの外周を掴んでロックするロック機能を有する保持具５を設けると共に、該保持具のスライド体４の頭部を上下動すべくホルダー本体Ａに、スリット軸Ａａの先端に頭部を押し上げるための押上部を突設してなるロック解除具Ａ１を設けて構成する。【選択図】図１
0003160738.tif 000002
【実用新案登録請求の範囲】
【請求項１】
ワイヤーの一端を中空状のホルダー本体内に固着し、中心にワイヤー差込孔を設けたスライド体のワイヤー差込孔にワイヤーを貫通して差し込み、このワイヤーの外周を掴んでロックするロック機能を有する保持具を設けると共に、該保持具のスライド体の頭部を上下動すべくホルダー本体に、スリット軸の先端に頭部を押し上げるための押上部を突設してなるロック解除具を設けてなることを特徴とする吊り下げホルダー。
【請求項２】
ホルダー本体内にベルト通し等に取り付けるための取付部を設けてなる請求項１記載の吊り下げホルダー。
【請求項３】
ワイヤーの一端に支持部を設け、中空状のホルダー本体内に回動自在に固着してなることを特徴とする請求項１又は２記載の吊り下げホルダー。
【考案の詳細な説明】
【技術分野】
【０００１】  本考案は、キーや工具等を吊り下げ、簡単・確実に持ち歩くことができる吊り下げホルダーに関するものである。
【背景技術】
【０００２】  ワイヤーの一端を固着してなる中空状のホルダー本体内に、中心にワイヤー差込孔を設けたスライド体のワイヤー差込孔にワイヤーを貫通して差し込み、このワイヤーの外周を掴んでロックするロック機能を有する保持具を設けると共に、スライド状に移動させるための水平方向に中空状のホルダー本体より適宜突出した一体に連結してレバーによるロック解除具を設けてなる吊り下げホルダーがある。
（特許文献１参照）
【先行技術文献】
【特許文献１】  実用新案登録第３１５５２３９号公報
【考案の概要】
【考案が解決しようとする課題】
【０００３】  上記従来の技術は、本考案者が出願したもので、ホルダー本体より適宜突出した一体に連結したレバーによりロック解除するもので、好評であったが、ポケット等に引っ掛り、ロック解除されることがあった。【０００４】  よって、本考案は、ホルダー本体より突出することがないため、不用意なロック解除がなく、安全に使用できるものである。
【課題を解決するための手段】
【０００５】本考案は、ワイヤーの一端の支持部を回動自在に固着してなる中空状のホルダー本体内に、中心にワイヤー差込孔を設けたスライド体のワイヤー差込孔にワイヤーを貫通して差し込み、このワイヤーの外周を掴んでロックするロック機能を有する保持具を設けると共に、該保持具のスライド体の頭部を上下動すべくホルダー本体に、スリット軸の先端に頭部を押し上げるための押上部を突設してなるロック解除具を設けてなること。ホルダー本体内にベルト通し等に取り付けるための取付部を設けてなること。
【考案の効果】
【０００６】１）、保持具の構造により、ワイヤーを差し込むだけで簡単・確実にロックできると共に、スリット軸を押さえることにより、押上部にてスライド体の頭部を押し上げることのできるロック解除具で、誰でも簡単・容易にロック解除できる効果がある。
２）、特に、女性の方でも簡単で使い易すく、ロック解除具がホルダー本体より突出していないため、安全に使用できる。
３）、取付部を設けることにより持ち運びが便利で、かつ、支持部を回動自在に形成しているためワイヤーがねじれる（変形する）ことなく長期に使用できる。
【図面の簡単な説明】
【０００７】
【図１】  本考案の一実施例を示す吊り下げホルダーの一部縦断正面図。
【図２】  本考案の一実施例を示す吊り下げホルダーの使用状態正面図。
【図３】  本考案の一実施例を示す吊り下げホルダーのロック解除具の作動状態側面図。
【考案の実施するための形態】
【実施例】
【０００８】  以下、この発明の実施例を図面に基いて詳細に説明する。
吊り下げホルダー１は、ワイヤー２の一端のボール状の支持部２ａを回動自在に、下部外周に固着してなる適宜な長さ（２ｃｍ〜６ｃｍ位）を有する筒体による中空状のホルダー本体Ａ内下部に、挿入孔３ａ１を設けると共に、中空部３ａ２の先端方向にテーパー内面３ａ３を形成してなる中空体３内に、中心にワイヤー差込孔４ａを設け、ベアリング４ｂ−−（この実施例の場合３個）を保持する保持片４ｃ・４ｃを上下に形成すると共に、圧縮スプリング４ｄを設けた頭部４ｅを形成したスライド体４を内設してなるワイヤー２の外周を掴んでロックするロック機能を有する保持具５を設けると共に、スライド体４を移動させるためホルダー本体Ａに、スリット軸Ａａの先端に頭部４ｅを押し上げるための略三角形状の押上部Ａｂを突設してあるロック解除具Ａ１を設けてなるものである。
なお、必要に応じて中空状のホルダー本体Ａの上端にズボンのベルト通しＢＴ等に係止して取り付けるべく、伸び縮みするスパイラル体６ａの上部にフック片６ｂを設けるのも一考である。【０００９】  上記のように構成した吊り下げホルダー１の使用例について下記に述べる。
例えば、ワイヤー２の他端ＴをキーＫ−−の孔Ｋ１に通した後、保持具５の中空体３の挿入孔３ａ１より挿入（矢印Ｂ１）し、スライド体４のワイヤー差込孔４ａを貫通（矢印Ｂ２）させる。
この状態で、例えば取付部６のフック片６ｂをベルト通しＢＴに係止させ、使用するものである。
なお、キーＫ−−の自重により常に下方に引っ張られていると同時に、圧縮スプリング４ｄにて常に下方に圧縮しており、ベアリング４ｂ−−はテーパー内面３ａ３の下方に位置し、常にワイヤー２の外周を掴んでロック状態になっている。
また、キーＫを交換する場合は、ロック解除具Ａ１のスリット軸Ａａを指（図示せず）で押さえることにより押上部Ａｂにてスライド体４の頭部４ｅが上方に移動し、圧縮スプリング４ｄが圧縮され、ベアリング４ｂ−−がテーパー内面３ａ３より離れ、ワイヤー２を開放し、下方より引き抜くことができ、キーＫを取り外し、他のキー等と差し替えるものである。【００１０】  なお、上記実施例において、中空状のホルダー本体の形状・大きさ・材質・透明（不透明）等は使用する目的により決定すればよい。
また、吊り下げるものはキーのみならず、現場で使用する工具（ドライバーやスパナ等）も使用でき、取付部も輪状・フック状等、色々考えられる。
さらに、取付部は上記実施例に限定せず、ベルト等に係止して取り付けるべく、逆Ｊ形の取付部を設けるのも一考である。
【符号の説明】
【００１１】１−−−吊り下げホルダー
２−−−ワイヤー
３−−−中空体
４−−−スライド体
５−−−保持具
６−−−取付部
Ａ１−−ロック解除具
Ａａ−−スリット軸
Ａｂ−−押上部
【図１】
0003160738.tif 000003
【図２】
0003160738.tif 000004
【図３】
0003160738.tif 000005
【手続補正書】
【提出日】平成22年4月12日(2010.4.12)
【手続補正１】
【補正対象書類名】実用新案登録請求の範囲
【補正対象項目名】全文
【補正方法】変更
【補正の内容】
【実用新案登録請求の範囲】
【請求項１】
ワイヤーの一端を中空状のホルダー本体内に固着し、中心にワイヤー差込孔を設けたスライド体のワイヤー差込孔にワイヤーを貫通して差し込み、このワイヤーの外周を掴んでロックするロック機能を有する保持具を設けると共に、該保持具のスライド体の頭部を上下動すべくホルダー本体に、スリット軸の先端に頭部を押し上げるための押上部を突設してなるロック解除具を設けてなることを特徴とする吊り下げホルダー。
【請求項２】
ホルダー本体内にベルト通しに取り付けるための取付部を設けてなる請求項１記載の吊り下げホルダー。
【請求項３】
ワイヤーの一端に支持部を設け、中空状のホルダー本体内に回動自在に固着してなることを特徴とする請求項１又は２記載の吊り下げホルダー。